(57)【要約】      （修正有）【課題】通常の使用状態の場合は投入口を開口させておき、使用停止中には投入口を閉じておき、しかもこれらの操作を扉の背面側から単一の蓋で行い、この蓋を常に投入口に対向して保持させてその紛失を防止できるようにしたゴミ箱を提供する。【解決手段】箱本体１と、箱本体１に取付けられて箱本体１内を開閉する扉２と、扉２に形成されて箱本体１内に連通する廃棄物投入口３と、扉２の裏側に設けられて投入口３を開閉する蓋４と、扉２の裏面と蓋４との間に設けられて蓋４を扉２の裏面側に着脱自在に保持する取付部材とを備え、蓋４が板本体５と、板本体５の上端部側に形成された開口６とを備え、開口６を投入口３に対向する状態で、又は板本体５を逆さにして開口６の無い部分で投入口３を塞ぐ状態で取付部材に保持させることにより投入口３を選択的に開閉させることを特徴とする。【選択図】図１
0003201505.tif 000002
【実用新案登録請求の範囲】
【請求項１】
箱本体（１）と、上記箱本体（１）に取付けられて上記箱本体（１）内を開閉する扉（２）と、上記扉（２）に形成されて上記箱本体（１）内に連通する廃棄物投入口（３）と、上記扉（２）の裏側に設けられて上記投入口（３）を開閉する蓋（４）と、上記扉（２）の裏面と上記蓋（４）との間に設けられて上記蓋（４）を上記扉（２）の裏面側に着脱自在に保持する取付部材とを備え、
上記蓋（４）が板本体（５）と、上記板本体（５）の上端部側に形成された開口（６）とを備え、
上記開口（６）を上記投入口（３）に対向する状態で、又は上記板本体（５）を逆さにして上記開口（６）の無い部分で上記投入口（３）を塞ぐ状態で上記取付部材に保持させることにより上記投入口（３）を選択的に開閉させることを特徴とするゴミ箱。
【請求項２】
箱本体（１）と、上記箱本体（１）に取付けられて上記箱本体（１）内を開閉する扉（２）と、上記扉（２）に形成されて上記箱本体（１）内に連通する廃棄物投入口（３）と、上記扉（２）の裏側に設けられて上記投入口（３）を開閉する蓋（４）と、上記扉（２）の裏面と上記蓋（４）との間に設けられて上記蓋（４）を上記扉（２）の裏面側に着脱自在に保持する取付部材（Ａ）とを備え、
上記蓋（４）が板本体（５）と、上記板本体（５）の上端部側に形成された開口（６）と、上記板本体（５）の背面に上記開口（６）の下側に近接して取付けられると共に下方に向けて傾斜するガイド片（７）とから構成され、
上記開口（６）を上記投入口（３）に対向する状態で上記板本体（５）を上記取付部材（Ａ）に保持させ、又は上記板本体（５）を逆さにして上記開口（６）の無い部分で上記投入口（３）を塞ぐ状態で上記取付部材（Ａ）に保持させ、上記蓋（４）で上記投入口を選択的に開閉させることを特徴とするゴミ箱。
【請求項３】
上記取付部材（Ａ）が上記板本体(５)又は上記扉（２）の背面に形成した複数の長孔（８）と、上記扉（２）の背面又は上記板本体（５）に設けられて上記長孔（８）に着脱自在に係合する係止ピン（９）とで構成され、上記長孔（８）は中央の大径部とこの大径部に連なると共にこの大径部より小径な上下一対のスリットとからなり、上記係止ピン（９）は上記大径部に挿入可能なフランジとこのフランジから延びるロッドとからなり、上記フランジを上記大径部に挿入後板本体（５）を下方に移動させることにより上記ロッドを上方の上記スリットに嵌合させて上記板本体（５）を上記扉（２）の背面に固定させることを特徴とする請求項１又は２に記載のごみ箱。
【請求項４】
箱本体（１）と、上記箱本体（１）に取付けられて上記箱本体（１）内を開閉する扉（２）と、上記扉（２）に形成されて上記箱本体（１）内に連通する廃棄物投入口（３）と、上記扉（２）の裏側に設けられて上記投入口（３）を開閉する蓋（４）と、上記扉（２）の裏面と上記蓋（４）との間に設けられて上記蓋（４）を上記扉（２）の裏面側に着脱自在に保持する第１の取付部材（Ｂ１）と、上記扉（２）の背面に設けられて上記蓋（４）の下端又は上端を支える第２の取付部材（Ｂ２）とを備え、
上記蓋（４）が板本体（５）と、上記板本体（５）の上端部側に形成された開口（６）と、上記板本体（５）の背面に上記開口（６）の下側に近接して取付けられると共に下方に向けて傾斜するガイド片（７）とから構成され、
上記開口（６）を上記投入口（３）に対向する状態で上記板本体（５）を上記第１、第２の取付部材（Ｂ１）、（Ｂ２）に保持させ、又は上記板本体（５）を逆さにして上記開口（６）の無い部分で上記投入口（３）を塞ぐ状態で上記第１、第２の取付部材（Ｂ１）に保持させ、上記蓋（４）で上記投入口（３）を選択的に開閉させることを特徴とするゴミ箱。
【請求項５】
上記第１の取付部材（Ｂ１）が上記板本体（５）のコーナに形成したコ字状の溝（１０）と、上記扉（２）の背面に設けられ上記板本体（４）側に延びる係止片（１１）とで構成され、上記第２の取付部材（Ｂ２）がＬ字状の支持片１２とこの支持片（１２）に螺合されて上記板本体（５）側に延びるボルト（１３）とで構成されていることを特徴とする請求項４に記載のごみ箱。
【請求項６】
箱本体（１）と、上記箱本体（１）に取付けられて上記箱本体（１）内を開閉する扉（２）と、上記扉（２）に形成されて上記箱本体（１）内に連通する廃棄物投入口（３）と、上記扉（２）の裏側に設けられて上記投入口（３）を開閉する蓋（４）と、上記扉（２）の裏面と上記蓋（４）との間に設けられて上記蓋（４）を上記扉（２）の裏面側に着脱自在に保持するボルト（１３）とナット（１４）とからなる取付部材（Ｃ）とを備え、
上記蓋（４）が板本体（５）と、上記板本体（５）の上端部側に形成された開口（６）と、上記板本体（５）の背面に上記開口（６）の下側に近接して取付けられると共に下方に向けて傾斜するガイド片（７）とから構成され、
上記開口（６）を上記投入口（３）に対向する状態で上記板本体（５）を上記取付部材（Ｃ）に保持させ、又は上記板本体（５）を逆さにして上記開口（６）の無い部分で上記投入口（３）を塞ぐ状態で上記取付部材（Ｃ）に保持させ、上記蓋（４）で上記投入口（３）を選択的に開閉させることを特徴とするゴミ箱。
【考案の詳細な説明】
【技術分野】
【０００１】
本考案は地下鉄等の鉄道の駅構内やプラットホーム、街中、公園等の公共の広場や施設内に設置され、空になった飲料水のペットボトル、ビン、缶等を回収するリサイクルボックスの使用に適し、或いはその他の新聞  雑誌、紙屑等の廃棄物を回収するのに適するごみ箱に関するものである。
【背景技術】
【０００２】
一般的に、街中、公共の施設内、地下鉄等の鉄道の駅構内やプラットホーム等には飲料水を販売する自動販売機が設置され、この自動販売機の側面側に空になったペットボトル、ビン、缶を回収する所謂リサイクルボックスたるゴミ箱が配置されているのが普通である。
【０００３】
そして、顧客が自動販売機の傍で飲料水を飲み干して空になったペットボトル等を扉に形成した投入口を介してボックス内に収容した仕分け用の容器や袋に投入して回収するようになっている。
【０００４】
このリサイボックスとしては、例えば特許文献１に示すように、内部に容器を収容したボックス本体と、ボックス本体に開閉自在に取り付けた開閉扉と、開閉扉に形成した複数の仕分け用の丸孔からなる投入口とを備えたものが一般的に知られている。
【０００５】
このリサイクルボックスによれば、空になったペットボトル等を外部から投入口を介して投入してボックス内の容器や袋に回収している。
【０００６】
しかしながら、投入口が常に開口していると雨水やごみがこの投入口を介してボックス内や容器内に侵入し衛生的に好ましくない。
【０００７】
しかも容器内の臭気が逆に投入口からボックス外に出てきて周囲の人に不快感を与える場合がある。
【０００８】
そこで、例えば、特許文献２に示すように、開閉扉の背面に投入口を開閉する蓋を設け、この蓋を外部から手動で押し開かせたり、同じくペダル式の開閉機構を介し外部から蓋を開閉するタイプのリサイクルボックスも開発され、外部から雨水が侵入したり、ボックス内の臭気が外部に漏れるのを防止している。
【０００９】
しかしながら、上記従来のリサイクルボックスでは、空のペットボトル等の廃棄物を投入口から投入して回収する主たる目的は達成できるが、逆にこれらの廃棄物を投入してもらいたくない場合や一時的に使用停止をしなければならない場合がある。
【００１０】
例えば、スポーツ、催し物等、その他のイベントで多数の人が会場に集まった時にこれらの人々が一度にリサイクルボックスにペットボトル等を投入すると、ボックス内に収容しきれなくなり、予め投入量を制限する必要がある。
【００１１】
また、このように多数の人が集まると、本来回収しようする物品以外のごみや廃棄部を投入しようとする場合があり、これらの廃棄物の処理に手間がかかり、飲料水を販売する自動販売業者にとって大変迷惑となる。
【００１２】
特に、外国から国賓が来日したり、サミット等の国際会議で各国の首脳が来日したり、オリンピック等のイベントで多数の内外のＷＩＰが参加した時には警護のため、安全のため、爆弾等の危険物が投入されるのを防止する必要がある。
【００１３】
しかるに、上記の特許文献１に示すリサイクルボックスでは投入口が開きっぱなしであり、特許文献２に示すリサイクルボックスでは外部から手動又はペダルで開くことができるので、どうしても外部から廃棄物や危険部が投入されてしまう恐れがあり、この不具合を解消できない不具合がある。
【００１４】
そこで、従来扉の背面に  差し込み式又は嵌め込み式の取付部材を介して蓋を着脱自在に取付けておき、ペットボトル等の廃棄物を投入しても良い場合は扉を開いてその背面からこの蓋を取り外して投入口を開口させておき、他方、これらの廃棄物や危険物を投入しては困る時、又はリサイクルボックスの一時使用停止時には投入口を蓋で閉じ、その状態で扉を閉じる方法が採用されている。
【先行技術文献】
【特許文献】
【００１５】
【特許文献１】実用新案登録第３００３４２号公報（図１参照）
【特許文献２】実公平５−３１０８４号公報（図１、図７参照）
【考案の概要】
【考案が解決しようとする課題】
【００１６】
しかしながら、扉の背面に蓋を設けた従来のリサイクルボックスは機能上欠陥があるわけではないが、次のような不具合の改善が望まれている。
【００１７】
すなわち、従来のリサイクルボックスでは、例えば使用停止中には蓋を取付部材に取付けて投入口を扉の背面側から閉じておけば良いが、例えば特許文献１に示すような投入孔は外部から良く視認できるし、蓋には「使用中止」等の表示も無いので、この投入孔が開いていると勘違いして廃棄物を投入しようとし、あるいは無理やり蓋をこじ開けて投入しようとして蓋を破損させてしまう恐れがある。
【００１８】
さらに、従来のリサイクルボックスでは、投入口を開いている時はこの蓋が固定されているわけではないのでその保管場所を確保する必要があり、その為の取付け部材も必要となり、加工性、経済性に不利である。
【００１９】
また、この蓋はボックス本体や扉とは独立した部材であるので、仮に保管場所や取付け部材をボックス本体内に設けたとしても、保管忘れや取付け忘れで紛失してしまう場合があり、蓋の管理が不便であり、その改善が望まれている。
【００２０】
そこで、本考案の目的は、ペットボトル等の廃棄物を投入しても良い通常の使用状態の場合は投入口を開口させておき、これらの廃棄物を投入しては困る時、危険物の投入を防止しようとする時等の使用停止中には投入口を閉じておき、しかもこれらの操作を扉の背面側から単一の蓋で行うと共にこの扉に使用中止等の表示を明記でき、さらに、この蓋を常に投入口に対向して保持させてその紛失を防止できるようにしたゴミ箱を提供することである。
【課題を解決するための手段】
【００２１】
上記課題を解決するため、本考案の手段は、箱本体と、上記箱本体に取付けられて上記箱本体内を開閉する扉と、上記扉に形成されて上記箱本体内に連通する廃棄物投入口と、上記扉の裏側に設けられて上記投入口を開閉する蓋と、上記扉の裏面と上記蓋との間に設けられて上記蓋を上記扉の裏面側に着脱自在に保持する取付部材とを備え、
上記蓋が板本体と、上記板本体の上端部側に形成された開口とを備え、
上記開口を上記投入口に対向する状態で、又は上記板本体を逆さにして上記開口の無い部分で上記投入口を塞ぐ状態で上記取付部材に保持させることにより上記投入口を選択的に開閉させることを特徴とするものである。
【考案の効果】
【００２２】
本考案によれば、板本体を取付部材に対して順方向に挿入し又は固定して板本体側の開口を廃棄物投入口に対向した時は扉の外側からこの投入口と開口とを介して箱本体内の廃棄物収容用の容器や袋内に投入して回収できる。
【００２３】
他方、板本体を逆さにして取付部材に挿入し又は固定した時、板本体の開口の無い部分が投入口を塞ぐ。
【００２４】
しかも、この時板本体は扉の背面側で取付部材に保持されているので扉の外側から板本体を押し開くことができない。
【００２５】
更に、この板本体の開口の無い部分には、例えば「使用停止中」等の表示を記載しておけば、投入口を閉じている時この表示を投入口の外側から確認でき、無理やり蓋が押し開かされるのが防止できる。
【００２６】
そのため、ゴミ箱の使用停止時には板本体で廃棄物投入口を常時閉じておくことが出来、無理やり廃棄物を箱本体内に投入されるのが防止できる。
【００２７】
さらに、板本体は投入口の開閉状態に係りなく常に取付部材に保持されているので、蓋の保管スペースを確保したり、特別な取付手段を設ける必要が無く、しかも蓋の紛失を防止でき、蓋の管理が向上する。
【００２８】
更にまた、開口は板本体に形成されているので、この開口を介して投入口に作業者や一般人が手を差し込んでも板本体でこの手が挟まられることがない。
【図面の簡単な説明】
【００２９】
【図１】（Ａ）は本考案の一実施の態様に係るごみ箱の扉を開いた状態の斜視図である。  （Ｂ）は板本体を扉の背面側に取付部材を介して順方向挿入して開口を投入口に対向せる状態の斜視図である。（Ｃ））は板本体を扉の背面側に取付部材を介して逆さに挿入して開口を投入口に対して遮断させる状態の斜視図である。
【図２】図１（Ｂ）の拡大斜視図である。
【図３】図１（Ｃ）の拡大斜視図である。
【図４】開口を投入口に連通させ、扉を閉じた状態を外側から見た図１のごみ箱の斜視図である。
【図５】同じく板本体を逆さにして投入口を板本体で遮断した状態を外側から見た図１のごみ箱の斜視図である。
【図６】（Ａ）は本考案の他の実施の態様に係るごみ箱の扉を開いた状態の斜視図である。  （Ｂ）は板本体を扉の背面側に取付部材を介して順方向挿入して開口を投入口に対向せる状態の斜視図である。（Ｃ））は板本体を扉の背面側に取付部材を介して逆さに挿入して開口を投入口に対して遮断させる状態の斜視図である。
【図７】図６（Ｂ）の拡大斜視図である。
【図８】図６（Ｃ）の拡大斜視図である。
【図９】開口を投入口に連通させ、扉を閉じた状態を外側から見た図６のごみ箱の斜視図である。
【図１０】同じく板本体を逆さにして投入口を板本体で遮断した状態を外側から見た図６のごみ箱の斜視図である。
【図１１】（Ａ）は本考案の更に別の実施の態様に係るごみ箱の扉を開いた状態の斜視図である。  （Ｂ）は板本体を扉の背面側に取付部材を介して固定して開口を投入口に対向せる状態の斜視図である。（Ｃ））は板本体を扉の背面側に取付部材を介して逆さに固定して開口を投入口に対して遮断させる状態の斜視図である。
【図１２】開口を投入口に連通させ、扉を閉じた状態を外側から見た図１１のごみ箱の斜視図である。
【図１３】同じく板本体を逆さにして投入口を板本体で遮断した状態を外側から見た図１１のごみ箱の斜視図である。
【考案を実施するための形態】
【００３０】
以下に本考案の実施の形態に係るごみ箱について、図面を参照しながら説明する。
図１〜図５は本考案の一実施の形態に係るごみ箱を示す。
図６〜図１０は本考案の他の実施の形態に係るごみ箱を示す。
図１１〜図１３は本考案の更に別の実施の形態を示す。
各実施の形態では開口６を備えた板本体５を扉の裏側に取付け部材を介して保持させ、この開口６を扉２側の廃棄物投入口３に対向させ、又は板本体５の開口の無い部分を投入口３に対向させ、選択的に投入口３を開閉させる点で共通する。
【００３１】
そして、各実施の形態のごみ箱で異なる点は板本体５を保持させる取付部材Ａ、Ｂ１、Ｂ２、又はＣの構造が異なるものである。
【００３２】
各実施の形態に係るごみ箱は、ボックス本体たる箱本体１と、箱本体１に取付けられて当該箱本体１内を開閉する扉２と、扉２に形成されて箱本体１内に連通する廃棄物投入口３と、扉２の裏側に設けられて投入口３を開閉する蓋４と、扉２の裏面と蓋４との間に設けられて蓋４を扉２の裏面側に着脱自在に保持する取付部材Ａ、Ｂ１、Ｂ２又はＣとを備えている。
【００３３】
更に、上記蓋４が板本体５と、板本体５の上端部側に形成された開口６とを備えている。
【００３４】
そして、上記開口６を上記投入口３に対向する状態で、又は上記板本体５を逆さにして開口６の無い部分で投入口３を塞ぐ状態で取付部材Ａ、Ｂ１、Ｂ２またはＣに保持させることにより投入口３を選択的に開閉させることを共通の特徴としている。
【００３５】
この為、各実施の形態に係るごみ箱によれば、板本体５を取付部材Ａ、Ｂ１、Ｂ２又はＣに対して順方向に挿入し又は固定して板本体５側の開口６を廃棄物投入口３に対向した時は扉２の外側からこの投入口３と開口を介して箱本体１内の廃棄物収容用の容器Ｐや袋内に投入して回収できる。
【００３６】
他方、板本体５を逆さにして取付部材Ａ、Ｂ１、Ｂ２又はＣに挿入し又は固定した時、板本体５の開口６の無い部分が投入口２を塞ぐことになる。この時板本体５は扉２の背面側で取付部材Ａ、Ｂ１、Ｂ２又はＣに保持されているので扉２の外側から板本体５を押し開くことができなくなり、例えば、空のペットボトル、ビン、缶その他の廃棄物を投入してもらいたくない場合や、ゴミ箱の使用停止時には板本体５で廃棄物投入口３を常時閉じておくことが出来、無理やり廃棄物を箱本体１内に投入されるのが防止される。
【００３７】
しかも、この時板本体５は扉２の背面側で取付部材Ａ、Ｂ１、Ｂ２又はＣに保持されているので扉２の外側から板本体２、即ち蓋４を押し開くことができない。
【００３８】
更に、この板本体の開口の無い部分には、例えば「使用停止中」等の表示を記載しておけば、投入口を閉じている時この表示を投入口の外側から確認でき、無理やり蓋が押し開かされるのが防止できる。
【００３９】
そのため、ゴミ箱の使用停止時には板本体５で廃棄物投入口３を常時閉じておくことが出来、無理やり廃棄物を箱本体１内に投入されるのが防止できる。
【００４０】
さらに、板本体５は投入口３の開閉状態に係りなく常に取付部材Ａ、Ｂ１、Ｂ２又はＣに保持されているので、蓋４の保管スペースを確保したり、特別な取付手段を設ける必要が無く、しかも蓋２の紛失を防止でき、蓋２の管理が向上する。
【００４１】
以下、各実施の形態を図に基づいて説明する。
図１〜図５に示すごみ箱の実施の形態は、  箱本体１と、箱本体１に取付けられて上記箱本体１内を開閉する扉２と、扉２に形成されて箱本体１内に連通する矩形又は複数の丸孔からなる廃棄物投入口３と、扉２の裏側に設けられて投入口３を開閉する蓋４と、扉２の裏面と蓋４との間に設けられて蓋４を扉２の裏面側に着脱自在に保持する取付部材Ａとを備えている。
【００４２】
上記蓋４は板本体５と、板本体５の上端部側に形成された開口６と、板本体５の背面に上記開口６の下側に近接して取付けられると共に下方に向けて傾斜するガイド片７とから構成されている。
【００４３】
上記板本体５の下方、即ち開口の無い部分には、例えば、「使用停止中」、「close」等の表示を記載しておくのが好ましい。
【００４４】
ガイド片は投入口３から投入された空のペットボトル等の廃棄物を箱本体１に収容されている廃棄物回収用容器Ｐや袋に滑らせながら案内するものである。
【００４５】
ただし、このガイド片７は無くても使用可能である。
【００４６】
上記投入口３としては投入される廃棄物等の大きさに対応して径の異なる複数の孔から構成しても良い。
【００４７】
また、投入口３の形状は円形でも、矩形でも、楕円形でも良い。
【００４８】
更に、投入口３の位置は箱本体１の正面に形成するのが好ましいが、箱本体１の形状や、扉２の位置に対応して箱本体１の側面、背面、上面に形成しても良い。
【００４９】
上記取付部材Ａは図２、図３から分かるように、板本体５の背面４コーナ部に形成した４個の長孔８と、上記扉２の背面に設けられて長孔８に着脱自在に係合する係止ピン９とで構成されている。
【００５０】
取付部材Ａは板本体１のコーナ部４箇所に設けられているが、板本体１の両側中央に設けてもよく、板本体１の上側と下側の中央に設けても良い。
【００５１】
また、長孔８は扉２の背面側に形成し、係止ピン９は板本体１側に設けても良い。
【００５２】
上記長孔８は図示のように中央の大径部とこの大径部に連なると共にこの大径部より小径な上下一対のスリットとから構成されている。
【００５３】
また、上記係止ピン９は上記大径部に挿入可能なフランジとこのフランジから延びるロッドとからなるボルト型に形成されている。
【００５４】
蓋２を扉２の背面に保持し、ゴミ箱を通常の使用状態に保持する場合は、図１（Ａ）、（Ｂ）、図２に示すように、上方の開口６を投入口３に対向させ、開口６の無い部分を下方に位置させながら板本体１を取付部材Ａに保持させる。
【００５５】
この場合、係止ピン９のロッド部分が長孔８の上側のスリット内に挿入され、このロッド部分がスリットの上端を支えて板本体の落下を防止している。
【００５６】
この状態では、図４に示すように、扉２の外側から投入口３が開口６を介して開いていることが視認できるので、扉２の外部から空のペットボトル等を投入口６から容器Ｐ内に投入できる。
【００５７】
他方、ゴミ箱の使用停止時には図１（Ｃ）、図３に示すように、まず板本体１を  取付部材Ａからは取外し、次いで板本体を１８０度反転して逆にする。次いで、係止ピン９のフランジを長孔８の中央の大径部に挿入し、この状態で板本体１を手動で下降させると係止ピン９のロッド部分が上側のスリット内に侵入し、このロッド部分がスリットの上端に係合し、板本体５を支えるとともに下方への落下を防止し、  取付部材Ａで板本体５言い換えれば蓋２を扉２の裏面側に保持する。
【００５８】
この状態では、開口６が投入口３より下側に位置し、板本体５の開口６の無い部分が投入口３に対向し、図５に示すようにごみ箱の外側から投入口３が遮断されている状態が視認され、廃棄物の投入ができないことが分る。
【００５９】
特に、開口６の無い部分に「使用停止中」等の表示を設けた場合には、この表示が投入孔３の外部から確認でき、投入口３が遮断されていることがより確実に視認される。
【００６０】
しかも、蓋４は扉２の裏面側に取付部材Ａで保持されているから、無理やり外から蓋４を押し開くことが出来ず、ゴミ箱の不使用における廃棄物の投入が防止される。
【００６１】
なお、開口６は板本体５に形成されているので、この開口６を介して投入口３に作業者や一般人が手を差し込んでも板本体５でこの手が挟まられことがない。
【００６２】
次に、他の実施の形態に係るごみ箱を図６〜１０に基づいて説明する。
【００６３】
この実施の形態のごみ箱は取付部材Ｂ１、Ｂ２の構造に特徴があり、その他の構造、作用、効果は図１の実施の形態に示すものと同じである。
【００６４】
従って、共通の構造、作用、効果の説明は省略する。
【００６５】
この実施の形態に係るごみ箱では、開口６を投入口３に対向する状態で板本体５を第１、第２の取付部材Ｂ１、Ｂ２に保持させ、又は板本体５を逆さにして開口６の無い部分で上記投入口３を塞ぐ状態で第１、第２の取付部材Ｂ１、Ｂ２に保持させ、蓋４で投入口３を選択的に開閉させるものである。
【００６６】
上記第１の取付部材（Ｂ１）は板本体（５）のコーナに形成したコ字状の溝１０と、扉２の背面に設けられ板本体４側に延びるＬ字状の係止片１１とで構成されている。
【００６７】
また、上記第２の取付部材Ｂ２がＬ字状の支持片１２とこの支持片１２に螺合されて板本体５側に延びるボルト１３とで構成されている。
【００６８】
この為、通常の使用状態では図６（Ａ）、（Ｂ）図７に示すように、開口６を投入口３に対向した状態で板本体１の左右を第１の取付部材Ｂ１で保持し、板本体５の下部を第２の  取付部材Ｂ２で支えて下方への落下を防止させている。
【００６９】
この状態では、図９に示すように外部から投入口３が開口６を介して開いていること視認できる。
【００７０】
他方、ゴミ箱の不使用時には図６（Ｃ）、図８に示すように１８０度反転し、次に各係止片１１を各溝１０に対向して差し込み、次いで板本体を５をは下降させる。
【００７１】
この時、板本体の５の両側は係止片１１と扉２の裏面とで挟持され、同時に板本体６の下端は第２の  取付部材Ｂ２で支えられる。
【００７２】
この時の状態は、板本本体５の開口６の無い部分が投入口３を塞ぎ、開口３はと投入口３より下方に位置し機能しない。このため、図１０に示すように、投入口３が遮断されていることが外部から認識できる。
【００７３】
次に別の実施の形態のごみ箱を図１１〜図１３に基づいて説明する。
【００７４】
この実施の形態のごみ箱も取付部材Ｃの構造に特徴があり、その他の構造、作用、効果は図１、図６の実施の形態に示すものと同じである。
【００７５】
従って、共通の構造、作用、効果の説明は省略する。
【００７６】
この実施の形態のごみ箱は、扉２の裏面と蓋４との間に設けられて蓋４を扉２の裏面側に着脱自在に保持するボルト１３とナット１４とからなる取付部材Ｃとを備えたものである。
【００７７】
蓋２を扉２の背面に保持し、ゴミ箱を通常の使用状態に保持する場合は、図１１（Ａ）、（Ｂ）に示すように、上方の開口６を投入口３に対向させ、開口６の無い部分を下方に位置させながら板本体１を取付部材Ｃに保持させる。
【００７８】
この状態では、図１２に示すように、扉２の外側から投入口３が開口６を介して開いていることが視認できるので、扉２の外部から空のペットボトル等を投入口６から容器Ｐ内に投入できる。
【００７９】
他方、ゴミ箱の使用停止時には図１１（Ｃ）、図１３に示すように、まず板本体１を  取付部材Ｃからは取外し、次いで板本体を１８０度反転して逆にし、再度ボルト１３を板本体５の孔に挿入し、ナット１４で締結する。
【００８０】
この状態では、開口６が投入口３より下側に位置し、板本体５の開口６の無い部分が投入口３に対向し、図１３に示すようにごみ箱の外側から投入口３が遮断されている状態が視認され、廃棄物の投入ができないことが分る。
その他の作用効果は上記図１に実施の形態と同じである。
【符号の説明】
【００８１】
１  板本体
２  扉
３  投入口
４  蓋
５  板本体
６  開口
７  ガイド片
８  長孔
９  係止ピン
１０  溝
１１  係止片
１２  支持片
１３  ボルト
１４  ナット
Ａ      取付部材
Ｂ１、Ｂ２    取付部材
Ｃ      取付部材
【図１】
0003201505.tif 000003
【図２】
0003201505.tif 000004
【図３】
0003201505.tif 000005
【図４】
0003201505.tif 000006
【図５】
0003201505.tif 000007
【図６】
0003201505.tif 000008
【図７】
0003201505.tif 000009
【図８】
0003201505.tif 000010
【図９】
0003201505.tif 000011
【図１０】
0003201505.tif 000012
【図１１】
0003201505.tif 000013
【図１２】
0003201505.tif 000014
【図１３】
0003201505.tif 000015